(57)【特許請求の範囲】
【請求項１】
巻取から繰り出した本紙を作業テーブルの支持面上に保持させ、その支持面に保持された本紙をカッターで切断して紙継ぎ用紙端を形成し、その紙端にタブ貼り部によってタブを、一部が紙端から突出するように貼り付ける構成の巻取仕立て装置において、前記作業テーブルの支持面に、前記カッターによる本紙切断位置に沿って、本紙の先端側を低くした段差を形成し、更に、前記作業テーブルの支持面の、段差を形成している両方の面に、本紙を吸着保持するための吸着孔を開孔させていることを特徴とする巻取仕立て装置。
【請求項２】
前記カッターが、前記支持面に沿って走行する移動台に保持されており、その移動台には前記カッターで切断した本紙の先端側を、低い側の支持面に押し付ける押付手段が設けられていることを特徴とする請求項１記載の巻取仕立て装置。
【請求項３】
巻取から繰り出した本紙を作業テーブルの支持面上に保持させ、その支持面に保持された本紙をカッターで切断して紙継ぎ用紙端を形成し、その紙端にタブ貼り部によってタブを、一部が紙端から突出するように貼り付ける構成の巻取仕立て装置において、前記作業テーブルの支持面に、前記カッターによる本紙切断位置に沿って、本紙の先端側を低くした段差を形成しており、更に、前記カッターが、前記支持面に沿って走行する移動台に保持されており、その移動台には前記カッターで切断した本紙の先端側を、低い側の支持面に押し付ける押付手段が設けられていることを特徴とする巻取仕立て装置。
【発明の詳細な説明】
【０００１】
【発明の属する技術分野】
本発明は、輪転機等で用いられる巻取に対して、紙継ぎのための先端処理、すなわち、本紙を所定形状にカットして紙継ぎ用紙端を形成し、その紙端に粘着テープ（両面テープ）を貼り付け、その紙端をほぐれ止め用のタブで巻取外周に固定するという仕立て処理を行う巻取仕立て装置に関するものである。
【０００２】
【従来の技術】
従来、巻取に対して紙継ぎのための仕立て動作を自動的に行う装置が開発されており、特開昭６３−２９５３５４号公報、特開平５−２３８６１０号公報に開示されている。
【０００３】
特開昭６３−２９５３５４号公報に記載の仕立て装置は新聞輪転機等で用いられるもので、図１２に示すように、巻取１の本紙２の先端をＶ型にカットし、そのＶ型の先端に沿って両面テープ３を貼り、且つ中央をタブ４によってその下の本紙に貼り付けた形態の仕立てを行うものであり、図１３に示すように、巻取１を保持して所定位置に持ち上げるチャッキングアーム６と、その巻取１から繰り出される本紙２を支持する支持面を備えた作業テーブル７と、その支持面に保持された本紙２に対して所定の仕立て動作を行うテープ貼りユニット８、カッターユニット９等を備えている。そして、作業テーブル７上に送り出され、吸着保持された本紙２に対して、図１４の▲１▼〜▲６▼及び以下の▲１▼〜▲６▼に示す手順で仕立て動作が行われる。
▲１▼  テープ貼りユニット８のカッター１０でＶ型の１辺を形成するように本紙２を切断しつつ両面テープ３を貼る。
▲２▼  別のテープ貼りユニット８のカッター１０でＶ型の他の１辺を形成するように本紙２を切断しつつ両面テープ３を貼る。
▲３▼  カッターユニット９のカッター１１でＶ型の頂点をカットする。
▲４▼  カッター１０、１１で切断され、切り離された本紙２の先端側（屑紙）２ａを矢印方向に引き出し、回収する。
▲５▼  Ｖ型本紙２の先端にタブ４を、一部が本紙２より突出するように貼り付ける。
▲６▼  本紙２を巻取上に巻き戻し、押えローラ１２で押さえることで、タブ４を巻取１の本紙に貼り付ける。以上により、図１２に示す形態の仕立てが行われる。
【０００４】
また、特開平５−２３８６１０号公報に記載の仕立て装置は商業輪転機等で用いられるもので、図１５に示すように、巻取１の本紙の先端を、全幅のほとんどの部分が巻取軸線に平行な直線状となるように切断し、その紙端に沿って両面テープ１４を貼り付け、且つ巻取表面に複数のタブ１５によって貼り付けた形態の仕立てを行うものである。この形態の仕立てを行う装置は、図１６に示すように、巻取１を保持して所定位置に持ち上げるチャッキングアーム１６と、巻取１から繰り出される本紙２を支持するほぼ垂直な支持面を備えた作業テーブル１７と、その作業テーブル１７に沿って走行し、作業テーブル１７に支持されている本紙に所定の仕立てを行う仕立てユニット１８等を備えている。そして、作業テーブル１７上に送り出され、吸着保持された本紙２に対して、図１７の▲１▼〜▲５▼及び以下の▲１▼〜▲５▼に示す手順で仕立て動作が行われる。
▲１▼  仕立てユニット１８を図１７で右方向に走行させ、カッター２０で本紙２をほぼ水平にカットしてゆく。その途中、サイドカッタ２１Ａ、２１Ｂがそれぞれ本紙２の対応する縁部に達した時には、仕立てユニット１８を一旦停止させ、サイドカッタ２１Ａ、２１Ｂで本紙２の側縁を斜めにカットする。この動作により、図１７▲２▼に示すように、本紙２が切り離され、巻取側に所定形状の紙端が形成される。
▲２▼  本紙２の切り離された先端側（屑紙）２ａを矢印方向に引き出し、回収する。
▲３▼  仕立てユニット１８を前回とは逆方向に走行させ、仕立てユニット１８に設けているタブ貼り部２３でタブ１５を複数枚、適当な間隔で貼り付ける。
▲４▼  仕立てユニット１８を再び右方向に走行させながら、テープ貼り部２４で両面テープ１４を貼り付ける。
▲５▼  本紙２を巻取上に巻き戻し、タブ押えコロ２５で押さえることで、タブ１５を巻取上の本紙に貼り付ける。以上により、図１５に示す形態の仕立てが行われる。
【０００５】
【発明が解決しようとする課題】
しかしながら、かかる従来の仕立て装置では、いずれも、本紙２を所定形状にカットして紙端を形成した後、その紙端にタブを貼り付ける際に、そのタブが切り離された先端側（屑紙）２ａに貼り付けられないようにするため、先端側２ａをまず、除去しておく必要があり、このため、本紙２のカットの後、先端側２ａを引き出して回収し、その後、タブを貼り付けるといった動作順序となり、サイクルタイムの短縮のネックとなっていた。
【０００６】
本発明は、上述の問題点に鑑みて為されたもので、本紙のカットに引き続いて、直ちにタブ貼り付け動作を行うことを可能とし、タイクルタイムの短縮を可能とした巻取仕立て装置を提供することを目的とする。
【０００７】
【課題を解決するための手段】
本発明は、本紙をカットして所定形状の紙端を形成した後、その紙端にタブを、一部が紙端より突出するように貼り付けた際、そのタブの紙端より突出した部分が、切り離された先端側（屑紙）に貼り付けられないようにするため、作業テーブルの支持面に、本紙の切断位置に沿って、本紙の先端側が低くなる段差を形成し、更に、段差を形成している両方の面に、本紙を吸着保持するための吸着孔を開孔させたものである。このように支持面に段差を設け、更に段差を形成している両方の面に、本紙を吸着保持するための吸着孔を開孔させたことにより、支持面に保持された本紙をカットした時、切り離された側の本紙（屑紙）の表面位置を、巻取につながった側の本紙の表面位置よりも低く（又は奥側に）することができ、このため、切り離された側の本紙（屑紙）を支持面上に残した状態でも、紙端にタブを支障なく貼り付けることができ、従って、本紙の切断の直後に支障なくタブの貼り付け動作を行うことができ、サイクルタイムの短縮を図ることができる。
また、段差を形成している両方の面に、本紙を吸着保持するための吸着孔を開孔させる構成に代えて、或いはこの構成と併用して、本紙を切断するカッターを保持した移動台に、前記カッターで切断した本紙の先端側（切り離された側）を低い側の支持面に押し付ける押付手段を設けておく構成とすることも可能であり、この構成によっても、支持面に保持された本紙をカットした時、切り離された側の本紙（屑紙）の表面位置を、巻取につながった側の本紙の表面位置よりも低く（又は奥側に）することができ、このため、切り離された側の本紙（屑紙）を支持面上に残した状態でも、紙端にタブを支障なく貼り付けることができ、従って、本紙の切断の直後に支障なくタブの貼り付け動作を行うことができ、サイクルタイムの短縮を図ることができる。
【０００８】
【発明の実施の形態】
本発明の巻取仕立て装置は、巻取の本紙に対する仕立て動作のために本紙を保持する作業テーブルの支持面に、前記カッターによる本紙切断位置に沿って、本紙の先端側を低くした段差を形成していることを特徴とし、これによって、本紙の切断動作に続いて直ちにタブ貼り動作を行うことが可能となる。
【０００９】
ここで、前記作業テーブルの支持面には、段差を形成している両方の面に、本紙を吸着保持するための吸着孔を開孔させておくことが好ましい。この構成とすると、切り離された側の本紙を確実に支持面の低い側の面に吸着保持でき、巻取につながった側の本紙の表面から確実に引っ込んだ位置とすることができる。
【００１０】
また、前記本紙を切断するカッターを保持した移動台に、前記カッターで切断した本紙の先端側（切り離された側）を低い側の支持面に押し付ける押付手段を設けておくことが好ましい。この構成とすることによっても、切り離された側の本紙の表面位置を、巻取につながった側の本紙表面位置から確実に引っ込んだ位置とすることができる。
【００１１】
本発明は、任意の仕立て形態（パターン）に適用可能であり、例えば、図１２に示すＶ型パターン、図１５に示すストレートパターンのいずれにも適用でき、更には、紙端を浅いＶ型としたパターン、或いは紙端を斜め方向に切断したストレートパターン等にも適用可能である。
【００１２】
【実施例】
以下、本発明の好適な実施例を説明する。
図１は本発明の一実施例による巻取の仕立て装置の概略断面図、図２はその概略平面図であり、一部部品は図示を省略している。なお、この仕立て装置は巻取１を、図１５に示す形態に、すなわち、巻取１の本紙２の先端に、全幅のほとんどの部分が巻取軸線に平行な直線状となった紙端を形成し、その紙端に粘着テープ１４を貼り付け、且つ巻取表面に複数のタブ１５によって貼り付けた形態に、仕立てるという仕立て動作を行うものである。
【００１３】
図１、図２において、１は仕立て処理すべき巻取であり、仕立て処理を行う位置に保持された状態で示されている。３２はその巻取１の供給、排出を行うための台車であり、巻取１を上面３２ａに乗せた状態でレール３３上を走行して巻取１をその軸線方向に搬送するようになっている。３４は巻取支持手段であり、巻取１を乗せて保持することの可能な一対の支持ローラ３５（以下ベーラーという）と、そのベーラーを正逆両方向に回転駆動する駆動手段（図示せず）と、ベーラーを昇降させる昇降機構３６等を備えている。
【００１４】
４１はサイドフレーム、４２はそのサイドフレーム４１に、水平に且つ巻取１の軸線に直角方向に（矢印Ｘ−Ｘ方向に）移動可能に保持された縦移動台である。この縦移動台４２の先端部には、作業テーブル４４が取り付けられている。この作業テープル４４は、図３〜図５に拡大して示すように、ほぼ垂直な且つ巻取１の幅よりも広い幅の支持面４４ａを備えている。この支持面４４ａは、巻取１から繰り出された本紙２を吸着保持するためのもので、真空吸引源（図示せず）に連結された多数の吸着孔４４ｂを開孔させている。更に、この支持面４４ａには、後述するカッター５２による本紙切断位置に沿って本紙の先端側が低くなるような段差が形成されている。すなわち、支持面４４ａはカッターによる切断位置Ｐよりも上方に位置する第一支持面４４ａａと、その下方で第一支持面４４ａよりも奥に引っ込んだ第二支持面４４ａｂからなる。第一支持面４４ａと第二支持面４４ａｂにより形成される段差としては、通常４ｍｍ程度以上に選定される。前記した吸着孔４４ｂは、第一支持面４４ａのみならず第二支持面４４ａｂにも形成されている。なお、作業テーブル４４に形成する第一支持面４４ａ及び第二支持面４４ａｂは、作業テーブル４４を構成する本体の表面に直接形成してもよいが、本実施例では、その本体表面に厚さの異なる吸着プレート４４ｄとカッタープレート４４ｅを取り付け、それぞれの表面を第一支持面４４ａ及び第二支持面４４ａｂとしている。
【００１５】
図１において、作業テーブル４４の上端には、スクレーパ４６が取り付けられており、その先端を巻取１の外周に軽く押し当てた状態で、巻取１を矢印Ａ方向（紙端繰り出し方向）に回転させた時、本紙２の紙端２ａを巻取外周面から離れるように案内し、作業テーブル４４の支持面４４ａ上に案内することができる。
【００１６】
図１、図２において、縦移動台４２には更に、作業テーブル４４の支持面４４ａに対向する位置に仕立てユニット５０が設けられている。この仕立てユニット５０は、図３にも示すように、支持面４４ａに保持される本紙２を横切る方向で且つ水平方向に（矢印Ｙ−Ｙ方向に）移動可能に保持された横移動台５１と、その横移動台５１に取り付けられた主カッター５２、及び一対のサイドカッター５３Ａ、５３Ｂと、テープ貼り部５４と、タブ貼り部５５を有しており、また、横移動台５１はモータ（図示せず）で正逆両方向に回転駆動されるねじ軸５７に噛み合っている。かくして、ねじ軸５７の正逆回転によって、仕立てユニット５０は作業テーブル４４の支持面４４ａに沿って紙幅方向に往復動する。
【００１７】
主カッター５２は、作業テーブル４４の支持面４４ａ上に保持された本紙２を紙幅方向に切断するためのもので、図４、図６に示すように、円形カッター刃５２ａとその円形カッター刃５２ａを本紙２に押し付けるエアシリンダ等の押付手段を備えており、そのカッター刃５２ａを支持面４４ａ上の本紙２に押し付けた状態で横移動台５１が紙幅方向に移動することで、本紙２を紙幅方向に直線状に切断することができる。この主カッター５２の走行位置は、支持面４４ａに形成している段差に沿うように定められている。サイドカッター５３Ａ、５３Ｂはそれぞれ、本紙１ｂの両端を斜め方向に切断するためのもので、カッター刃とそのカッター刃を支持面４４ａに押し付ける押付手段と、カッター刃を斜め方向に移動させる移動手段とを備えており、そのカッター刃が本紙２の側縁に面する位置に横移動台５１を停止させ、その状態でカッター刃を本紙２に押し付け、斜め方向に移動させることで、本紙両端を斜めにカットできる。
【００１８】
テープ貼り部５４は、作業テーブル４４の支持面４４ａに支持されている本紙２の主カッター５２で切断されて形成された紙端の上面に、紙端に沿って両面テープ１４を貼り付けるためのものであり、剥離テープに貼り付けた状態の両面テープを供給する供給リールと、両面テープを剥がした後の剥離テープを巻き取る巻取リールと、両面テープ１４を本紙２に貼り付けるテープ貼りローラ５９（図４参照）等を備えている。タブ貼り部５５は、作業テーブル４４の支持面４４ａに支持されている本紙２の紙端に複数のタブ１５を、その一部が紙端から突出するように且つ適当な間隔をあけて貼り付けるためのものであり、剥離テープに貼り付けた状態のタブ１５を供給する供給リールと、剥離テープを巻き取る巻取リールと、剥離テープから剥がしたタブ１５を保持して本紙２に貼り付けるタブ貼りパッド６１（図４参照）等を備えている。これらのテープ貼り部５４、タブ貼り部５５は公知のものを適宜使用可能であるので、詳細な説明は省略する。
【００１９】
図１、図２において、縦移動台４２には、巻取１を紙端巻き込み方向に回転させた時、その巻取の外周面を押圧して紙端先端のタブをその下の巻取表面に貼り付けるタブ貼り付け手段７５が設けられている。このタブ貼り付け手段７５は、タブ１５を押さえるためのタブ押えコロ７６と、本紙を巻取外周に押し付けて密着させるためのブラシ７７と、そのタブ押えコロ７６及びブラシ７７を巻取１の外周に押し付けるエアシリンダ等の押圧手段７８を備えている。また、作業テーブル４４や仕立てユニット５０を保持している縦移動台４２には、その縦移動台４２を、図１のＸ−Ｘ方向に移動させる移動機構（図示せず）が連結されており、縦移動台４２を、巻取１の外径に応じた所定位置（スクレーパ４６が巻取１に軽く接触する仕立て動作位置に移動させることができる構成となっている。
【００２０】
作業テーブル１４の下方には、巻取１から二点鎖線２ｆで示すように繰り出される本紙を搬送するコンベア８０が設けられ、そのコンベア８０の下流には屑箱８１が設けられている。ここで使用するコンベア８０は、巻取１からの本紙を下流の屑箱８１に排出可能なものであれば任意であるが、本実施例では、定位置に設けられた第一ベルトコンベア８０ａと、その第一ベルトコンベア８０ａとの間に本紙をはさんで搬送する第二ベルトコンベア８０ｂを備えたベルトサンドコンベアが用いられている。このようなベルトサンドコンベア８０を用いると、本紙を確実に挟んで搬送し、屑箱８１に排出することができる。
【００２１】
以上の構成になる巻取の仕立て装置について、以下その仕立て動作を説明する。なお、この仕立て動作は、仕立て装置に設けられているシーケンス制御装置（図示せず）によって自動的に行われるものである。
【００２２】
図１において、外周の梱包材を除去した後の巻取１が台車３２で搬入され、その巻取１をベーラー３５が所定高さに持ち上げた後、縦移動台４２が図１に示す所定の仕立て位置に移動して停止する。次いで、ベーラー３５が回転して巻取１を矢印Ａ方向に回転させ、本紙２の先端を下方に送り出す。その本紙２は、スクレーパ４６で案内され、作業テーブル４４の支持面４４ａの前を通って下方のベルトサンドコンベア８０に送り出されて、ニップされる。本紙２の先端がベルトサンドコンベア８０でニップされ、少し送られた時点でベーラー３５が停止し、巻取１も停止する。この時、巻取１から繰り出された本紙は下端をベルトサンドコンベア８０にニップされているため、適当なテンションをかけた状態に保たれている。
【００２３】
次に、図３〜図６において、作業テーブル４４の支持面４４ａの吸引孔４４ｂに真空が供給され、本紙２を吸着保持する。次いで、仕立てユニット５０が、図３（ａ）に示す位置から左方向に移動を開始し、主カッター５２が本紙２の側縁近傍の切断開始位置となった時点で、主カッター５２の円形カッター刃５２ａが作業テーブル４４に向かって前進し、図６（ａ）に示すように本紙２に切り込み、本紙２を切断してゆく。本紙の切り離された先端側（屑紙）２ａは、直ちに図６（ｂ）に示すように、低い側の第二支持面４４ａｂに吸着保持され、巻取につながった側の本紙２ｂの表面よりも奥に引っ込んだ位置となる。仕立てユニット５０が本紙２を切断しながら移動する際、同時にテープ貼り部５３とタブ貼り部５５も動作して、両面テープ及びタブを貼り付けてゆく。すなわち、図３（ｂ）、図４に示すように主カッター５２が本紙２を水平に切断してゆき、巻取１につながっている側の本紙２ｂの紙端に、タブ貼り部５５がタブ１５を貼り付け、テーブル貼り部５４が両面テープ１４を貼り付けて行く。このタブ貼り付けの際、図６（ｃ）に示すように、切断された本紙の先端側の部分２ａは、低い支持面４４ａｂに吸着保持されているため、タブ貼りパット６１がタブ１５を本紙２ｂの紙端から一部を突出させた状態で貼り付けた際、そのタブ１５が切り離された側の本紙２ａに接触して貼り付けられるということがなく、従って、本紙２ｂの紙端に支障なくタブ１５を貼り付けることができる。
【００２４】
以上のように、仕立てユニット５０の一方向（図３で左方向）への走行時に、本紙の切断、タブ貼り、両面テープ貼りが並行して行われる。この仕立てユニット５０の走行途中で、サイドカッター５３Ａ、５３Ｂがそれぞれ、本紙２の対応する側縁に達した時に、仕立てユニット５０がその位置で一旦停止し、その位置でサイドカッター５３Ａ又は５３Ｂが本紙２の側縁を斜めにカットする。以上により、本紙２を所定形状にカットして紙継ぎ用の紙端を形成すると共に、その紙端にタブ１５及び両面テープ１４が貼り付けられる。
【００２５】
その後、図１において、タブ貼り付け手段７５が作動して、タブ押えコロ７６とブラシ７７を巻取１の外周に押し付け、また、支持面４４ａの真空吸着が解除される。この状態で、ベーラー３５が巻取１を矢印Ａとは反対方向に回転させ、支持面４４ａ上に位置していた紙端を巻取１の外周上に巻き戻し、ブラシ７７が本紙２の先端部を巻取１の外周面に押し付けて、内部に空気を押し出し、本紙２をその下の巻取表面に密着させ、次いで、タブ押えコロ７６がタブ１５を押さえて、その下の巻取表面に貼り付ける。以上により、巻取１が図１５に示す形態に仕立てられる。また、これと並行して、ベルトサンドコンベア８０が切り離された側の本紙２ａを屑箱８１に排出する。
【００２６】
次いで、ベーラー３５が下降して仕立て済の巻取１を下ろし、その下方に待機している台車３２に乗せ、台車３２で巻取１を搬出する。以上で１回の仕立て作業が終了する。
以上のように、本実施例では、仕立てユニット５０の一方向への走行時に、本紙の切断、タブ貼り、両面テープ貼りを並行して行うことができ、サイクルタイミを短縮し、生産性を上げることができる。
【００２７】
なお、上記実施例では、本紙２を主カッター５２で切断した時、下側の切り離された本紙（屑紙）２ａを第二支持面４４ａｂに形成している吸着孔４４ｂによる真空吸着のみで第二支持面４４ａｂに吸着される構成としているが、支持面４４ａに形成した段差が大きい場合等には、必要に応じ、切り離された本紙２ａを適当な押付手段で積極的に押して第二支持面４４ａｂに吸着させる方法を採用してもよい。
【００２８】
図７はその押付手段の具体的な１例を示すものである。図７において、主カッター５２の円形カッター刃５２ａは支持台５２ｂに保持され、その支持台５２ｂはエアシリンダ等の押付手段５２ｃに連結されている。この支持台５２ｂに円形カッター刃５２ａによる切断位置よりも下方に位置するように、且つ円形カッター刃５２ａの最先端とほぼ同じ位置に突出するように、弾性を持ったフイルム８５を取り付け、押付手段としたものである。このフイルム（押付手段）８５は、円形カッター刃５２ａが走行しながら本紙２を切断してゆく時、その切断位置の下方の本紙を第二支持面４４ａｂに押し付けており、これにより、切り離された側の本紙２ａを直ちに第二支持面４４ａｂに吸着保持させることができる。図８は押付手段の変形例を示すもので、この例では、円形カッター刃５２ａを保持した支持台５２ｂに円形カッター刃５２ａの進行方向の後ろに位置するように取付具８６を取り付け、それに弾性を持ったフイルム８７を保持させ、押付手段としたものである。この例でも、切断直後の本紙２ａを直ちに第二支持面に吸着保持させることができる。図９は更に他の変形例を示すものである。この例では、円形カッター刃の進行方向に関して後ろ側に、回転自在なローラ８８と、それを第二支持面４４ａｂに押し付けるエアシリンダを設け、押付手段としたものである。この例でも、円形カッター刃が走行しながら本紙２を切断してゆく時、その切断直後の本紙２ａをローラ８８で支持面４４ａｂに押し付けて行くことができる。
【００２９】
以上に、本発明を図１５に示すパターンの仕立てを行う場合に適用した実施例を説明したが、本発明は、他のパターンでの仕立てを行う場合にも適用可能であり、例えば、図１０（ａ）に示すように、Ｖ型で頂点にタブ４を１枚貼る仕立てパターンを形成する仕立て装置では、それに用いる作業テーブルとして、図１０（ｂ）に示すように、タブを貼る頂点部分及び斜辺に沿って段差を有する支持面９０ａを備えた作業テーブル９０を用いればよい。また、図１１（ａ）に示すように、Ｖ型の紙端に複数枚のタブ１５を貼る仕立てパターンを形成する仕立て装置では、図１１（ｂ）に示すようにＶ型の斜辺に沿って段差を有する支持面９２ａを備えた作業テーブル９２を用いればよい。
【００３０】
【発明の効果】
以上の説明から明らかなように、本発明の仕立て装置では、作業テーブルの支持面に、本紙の切断位置に沿って、本紙の先端側が低くなる段差を形成し、更に、段差を形成している両方の面に、本紙を吸着保持するための吸着孔を開孔させるか、或いは、本紙を切断するカッターを保持した移動台に、前記カッターで切断した本紙の先端側（切り離された側）を低い側の支持面に押し付ける押付手段を設けておく構成としたことにより、支持面に保持された本紙をカットした時、切り離された側の本紙（屑紙）の表面位置を、巻取につながった側の本紙の表面位置よりも低く（又は奥側に）することができ、従って、支持面に保持された本紙をカットした直後に、そのカットで形成された紙端に対して支障なくタブ貼り作業を行うことができ、このため、紙端のカット、タブ貼り、両面テープ貼りを並行して実施し、サイクルタイムの短縮を図ることができ、生産性を向上させることができるという効果を有している。
【図面の簡単な説明】
【図１】本発明の一実施例による巻取の仕立て装置の概略断面図
【図２】図１に示す仕立て装置を、一部部品を省略して示す概略平面図
【図３】（ａ）、（ｂ）は上記実施例における仕立て動作を説明するもので、作業テーブル、本紙、仕立てユニット等を仕立てユニットの後ろ側から見た概略背面図
【図４】作業テーブルに保持した本紙に対する仕立て動作を示す概略斜視図
【図５】作業テーブルの概略断面図
【図６】（ａ）は作業テーブルに保持した本紙を切断する状態を示す概略断面図
（ｂ）は切断直後の状態を示す概略断面図
（ｃ）は切断後の紙端にタブを貼り付ける状態を示す概略断面図
【図７】（ａ）は主カッター５２及び本紙を作業テーブルに押し付ける押付手段の一例を示す概略断面図
（ｂ）は（ａ）のｂ−ｂ矢視図
【図８】主カッター５２及び本紙を作業テーブルに押し付ける押付手段の他の例を示す概略平面図
【図９】本紙を作業テーブルに押し付ける押付手段の更に他の例を示す概略断面図
【図１０】（ａ）は巻取に対する仕立て形態の一例を示す概略平面図
（ｂ）はその仕立て形態の実施に使用する作業テーブルの概略斜視図
【図１１】（ａ）は巻取に対する仕立て形態の他の例を示す概略平面図
（ｂ）はその仕立て形態の実施に使用する作業テーブルの概略斜視図
【図１２】巻取に対する仕立て形態の一例及びそれに用いるタブを示す概略平面図
【図１３】図１２に示す形態の仕立てを行うための仕立て装置の概略断面図
【図１４】▲１▼〜▲６▼は図１３に示す仕立て装置における仕立て動作を説明する概略平面図
【図１５】巻取に対する仕立て形態の他の例及びそれに用いるタブを示す概略平面図
【図１６】図１５に示す形態の仕立てを行うための仕立て装置の概略断面図
【図１７】▲１▼〜▲５▼は図１６に示す仕立て装置における仕立て動作を説明する概略背面図
【符号の説明】
１  巻取
２  本紙
２ａ  切り離された側の本紙（屑紙）
２ｂ  巻取につながっている本紙
４４  作業テーブル
４４ａ  支持面
４４ａａ  第一支持面
４４ａｂ  第二支持面
４４ｂ  吸引孔
５０  仕立てユニット
５１  横移動台
５２  主カッター
５２ａ  円形カッター刃
５３Ａ、５３Ｂ  サイドカッター
５４  テープ貼り部
５５  タブ貼り部
６１  タブ貼りパッド
【図１】
0003821563.tif 000002
【図２】
0003821563.tif 000003
【図３】
0003821563.tif 000004
【図４】
0003821563.tif 000005
【図５】
0003821563.tif 000006
【図６】
0003821563.tif 000007
【図７】
0003821563.tif 000008
【図８】
0003821563.tif 000009
【図９】
0003821563.tif 000010
【図１０】
0003821563.tif 000011
【図１１】
0003821563.tif 000012
【図１２】
0003821563.tif 000013
【図１３】
0003821563.tif 000014
【図１４】
0003821563.tif 000015
【図１５】
0003821563.tif 000016
【図１６】
0003821563.tif 000017
【図１７】
0003821563.tif 000018